(57)【要約】【課題】嵩の小さい低床形の止水機構を提供する。また、その構造をより簡素化することで低コストの止水機構とする。【解決手段】流路方向に対して垂直方向にスライドする板状弁体を備えた仕切弁の構造であって、前記流路と同心状に連通する通水口を貫設してなる弁座を有すると共に、板状弁体は前記通水口を閉塞するようにその片面を前記弁座に密着可能とした。当該構成によれば、通水口の周囲を着座面とした弁座を設け、該弁座に板状弁体の片面を面密着させることによって止水作用を行う。なお、弁座は流路の二次側に設けられ、且つ、板状弁体を一次側からの流水圧によって前記弁座に密着可能とした。または、弁座とは反対側に板状弁体と当接して該板状弁体を弁座と密着させる押圧部を流路方向に沿って設けた。この押圧部は板状弁体の一部が乗り上げ可能に突出するように形成した。【選択図】        図１
2004278593.tif 000002
【特許請求の範囲】
【請求項１】
流路方向に対して垂直方向にスライドする板状弁体を備えた仕切弁の構造であって、前記流路と同心状に連通する通水口を貫設してなる弁座を有すると共に、板状弁体は前記通水口を閉塞するようにその片面を前記弁座に密着可能としたことを特徴とする仕切弁構造。
【請求項２】
弁座は流路の二次側に設けられ、且つ、板状弁体を一次側からの流水圧によって前記弁座に密着可能とした請求項１記載の仕切弁構造。
【請求項３】
弁座とは反対側に板状弁体と当接して該板状弁体を弁座と密着させる押圧部を流路方向に沿って設けた請求項１または２記載の仕切弁構造。
【請求項４】
押圧部は板状弁体の一部が乗り上げ可能に突出してなる請求項３記載の仕切弁構造。
【発明の詳細な説明】
【０００１】
【発明の属する技術分野】
この発明は、流路方向に対して垂直方向にスライドする板状弁体を備えた仕切弁の構造に係り、より詳しくは板状弁体の少なくとも片面を着座面として流路を閉塞する構造に関するものである。
【０００２】
【従来の技術】
配水管に分岐管を取付けようとする場合、その流路を一時的に断水状態にし、前記配水管への穿孔後、分岐管を取付けるのが主流である。しかし、これでは二次側が全て断水状態となって不便であるため、例えば特許文献１には、陽極電極を不断水下で水道管に取付ける方法について開示がある。即ち、当該方法は、水道管に器具取付け用の分岐口を穿孔するに当たり、その穿孔器具にボール弁をマウントし、該ボール弁によって分岐口を開閉可能としたものである。
【０００３】
【特許文献１】
特開２００２−２４１９７５号公報
【０００４】
【発明が解決しようとする課題】
しかしながら、上述した従来技術は嵩の大きいボール弁を用いるものであるため、分岐口の止水機構および該機構に取付けた器具全体が大型化し、また装置の大型化に伴ってコスト高にもなるといった課題がある。
【０００５】
本発明は、上述した課題を解決するためになされたもので、その目的とするところは、嵩の小さい低床形の止水機構を提供するものである。また、その構造をより簡素化することで低コストの止水機構とすることも本発明の目的の一つである。
【０００６】
【課題を解決するための手段】
上述した目的を達成するために本発明では、流路方向に対して垂直方向にスライドする板状弁体を備えた仕切弁の構造であって、前記流路と同心状に連通する通水口を貫設してなる弁座を有すると共に、板状弁体は前記通水口を閉塞するようにその片面を前記弁座に密着可能とするという手段を用いた。つまり、従来の仕切弁は流路と同寸・同形状の板状弁体を昇降可能とし、該板状弁体の周縁を流路の内周面と密着させることによって止水作用を行うものであったが、本発明は、これとは異なり、流路にこれよりも小径化された通水口を同心状に形成することによって、該通水口の周囲（流路との段差部）を着座面とした弁座を設け、該弁座に板状弁体の片面を面密着させることによって通水口を閉塞、即ち止水作用を行うものである。このため、従来の仕切弁よりも板状弁体の形状を小さくすることができる。また、弁体が板状であるため、上述した従来技術のボール弁による止水機構と比べて、全体の嵩を小さくすることができる。なお、板状弁体のスライド構造は従来の仕切弁と同じものを採用することができる。また、板状弁体の形状や大きさは通水口を閉塞するものであれば特に限定されないが、より確実に通水口を閉塞するために、弁座と密着する板状弁体の片面、あるいは弁座にはゴムパッキンを設けることが好ましい。さらに、板状弁体を弁座により確実に密着させるためには、後述の請求項２から４の手段を選択的に採用することが好ましい。
【０００７】
即ち、請求項２では、弁座は流路の二次側に設けられ、且つ、板状弁体を一次側からの流水圧によって前記弁座に密着可能とする。
【０００８】
一方、請求項３は、弁座とは反対側に板状弁体と当接して該板状弁体を弁座と密着させる押圧部を流路方向に設ける手段を採用するものである。
【０００９】
さらに、請求項４では、押圧部の具体的構成として、板状弁体の一部が乗り上げ可能に弁座側に突出させるという手段を用いた。
【００１０】
【発明の実施の形態】
以下、本発明の好ましい実施の形態を添付した図面に従って説明する。図１、２は、本発明の一実施形態に係る仕切弁構造を示したもので、図中、１は弁箱、２・３は弁箱１に形成された通水口、４は二次側流路Ｒ側の通水口２周囲に設けた弁座、５は二次側面にゴムパッキンを設けた縦断面Ｌ字状の板状弁体、６は外周面に板状弁体５の折曲部が螺合する雄ねじを形成したステムであって、ステム６を回動させることによりネジ作用で板状弁体５を流路方向に対して垂直方向にスライドさせるようにしたものである。なお、板状弁体５のスライド構造はこれに限らず、板状弁体５とステム６を一体化し、ステム６を押したり引いたりすることによっても板状弁体５を流路に対して垂直方向にスライドさせることができる。
【００１１】
また、この実施形態では、各通水口２・３に内ネジ７（雌ねじ）を形成した接続部８・９を設けている。言い換えれば、本実施形態の仕切弁構造は、接続部８・９を含む筒状本体１０の側面から弁箱１が直角に迫り出した全体形状を呈している。ここで、接続部８・９は管や器具を取付けるためのものであり、必ずしも内ネジ７である必要はない。つまり、接続部８・９は接続対象の管や器具に応じて、何れか一方またはその双方とも外ネジ（雄ねじ）を形成したものであってもよい。さらには、本仕切弁構造を後記するサドル分水栓に適用すれば、一方または双方の接続部とも省略することができる。要は、通水が確保され、その一方の通水口に弁座を設け、該弁座に板状弁体を着座させる構成を採用することである。
【００１２】
なお、図中、１１は弁箱１とは反対側から筒状本体１０に水密に挿入された規制部であって、板状弁体５のスライド終端を規制し、板状弁体５が過度にスライドしないようにするものである。つまり、当該規制部１１によって板状弁体５を通水口２の閉塞位置で確実に停止させることができる。
【００１３】
上記仕切弁構造によれば、図２に示したように、弁箱１から露出する角軸にスパナ等の器具を装着するなど適宜手段によってステム６を回転操作することにより、板状弁体５を通水口２の閉塞方向に移動させることができる。このとき板状弁体５と弁箱１内面との間には板状弁体５を移動させるためのクリアランスがある。このため板状弁体５によって通水口２を閉塞しても、前記クリアランスから漏水する可能性がある。しかしながら、この実施形態では弁座４を二次側流路Ｒ側に設けたので、板状弁体５には一次側の流水圧が作用し、板状弁体５を弁座４に着座させることができる。
【００１４】
図３は、板状弁体５について別の着座手段を示したもので、一次側の通水口３付近に流路方向に突出した押圧部１２を設けている。該押圧部１２は板状弁体５による閉弁時、その一部５ａ（折曲部先端）と当接して板状弁体５を着座方向に押し上げる作用を行う。言い換えれば、板状弁体５が押圧部１２を乗り上げ、結果、弁座４に密着するのである。なお、この実施形態では、板状弁体５がスムーズに乗り上がるよう、押圧部１２に傾斜面を形成しているが、押圧部１２の形状や形成位置は図示したものに限定されない。また、ここでは押圧部１２による押し上げ作用と一次側からの流水圧による押圧作用を併用して板状弁体５をより確実に弁座４に着座させることとしているが、何れか一方の着座手段のみであってもよい。つまり、押圧部１２を二次側に設ける一方、弁座４を一次側の通水口３に設ければ、板状弁体５を一次側に着座させることも可能である。
【００１５】
図４は、本発明構造をサドル分水栓の止水機構として適用したものであり、より具体的には上部サドル１３に本仕切弁構造を組み込んだものである。Ｐは給水本管である。このように本発明を適用したサドル分水栓によれば、ボール弁による止水機構に比べて高さが低くなって装置の低床化を図ることができる。なお、この適用例では給水本管Ｐを断水することなく、分岐側器具を設置できることはもちろんである。具体的には、まず給水本管Ｐに開弁状態の本サドル分水栓を取付け、その接続部１４に穿孔器具を取付けて給水本管Ｐに分岐口を穿設した後、板状弁体５を閉弁し、接続部１４から穿孔器具を取り外して所望の管や流量計等の器具を接続部１４に取付け、再度、板状弁体５を開弁する、といった手順により施工することができる。
【００１６】
【発明の効果】
以上説明したように、本発明によれば、板状弁体をスライドさせて通水口を閉塞するようにしたので、ボール弁等の止水機構に比べて、全体の嵩を大幅に小さくすることができ、コンパクトな止水機構を提供することができた。また、板状弁体の片面密着による着座構造を採用したので、周面密着による着座構造を採用した従来の仕切弁と比べて板状弁体の大きさを小さくすることができ、しかも板状弁体の形状に関する制約もない。さらに、板状弁体の着座手段も流水圧や押圧部、またはカムといった比較的簡単なものとすることができ、構造を簡素化できると共に、コストも低く抑えることができた。
【図面の簡単な説明】
【図１】本発明の一実施形態に係る仕切弁構造を断面図（開弁時）
【図２】同断面図（閉弁時）
【図３】板状弁体５の別の着座手段を示した断面図
【図４】本発明構造をサドル分水栓の止水機構に適用した例を示した断面図
【符号の説明】
１  弁箱
２  通水口（二次側）
３  通水口（一次側）
４  弁座
５  板状弁体
６  ステム
【図１】
2004278593.tif 000003
【図２】
2004278593.tif 000004
【図３】
2004278593.tif 000005
【図４】
2004278593.tif 000006